(57)【要約】【課題】外装体の第一蓋体に第二蓋体を接合する際に、第一蓋体に配置された他の部位に影響を及ぼすことを抑制することができる蓄電装置を提供する。【解決手段】蓄電素子２０と、蓄電素子２０が収容される筐体２００及び第一蓋体１００を有する外装体１０と、を備え、第一蓋体１００は、蓄電素子２０と電気的に接続される外部端子１１０、１２０と、外部端子１１０、１２０から蓄電素子２０に至る接続部材に対向する第一開口部１５１、１６１と、第一開口部１５１、１６１を塞ぐ第二蓋体１３０、１４０と、第一蓋体１００における第二蓋体１３０、１４０との接合部よりも外側に立設した壁部１５３、１６３と、を有する。【選択図】図４
2018129129.tif 000002
【特許請求の範囲】
【請求項１】
蓄電素子と、
前記蓄電素子が収容される筐体及び第一蓋体を有する外装体と、を備え、
前記第一蓋体は、
前記蓄電素子と電気的に接続される外部端子と、
前記外部端子から前記蓄電素子に至る接続部材に対向する第一開口部と、
前記第一開口部を塞ぐ第二蓋体と、
前記第一蓋体の前記第二蓋体との接合部よりも外側に立設した壁部と、を有する
蓄電装置。
【請求項２】
前記第一蓋体は、前記第一開口部と前記壁部との間に溝部を有し、
前記第二蓋体は、前記溝部に挿入される第一突出片を有し、
前記接合部は、前記第一突出片と前記溝部との接合部である第一接合部を有する
請求項１に記載の蓄電装置。
【請求項３】
前記第一蓋体は、外方に向けて延設された排気部を有し、
前記壁部は、前記第一開口部と前記排気部との間に配置される第一壁部を有する
請求項１または２に記載の蓄電装置。
【請求項４】
前記第一蓋体は、前記蓄電素子から前記排気部に至る排気経路の一部に対向する第二開口部と、前記第一開口部及び前記第二開口部の間に配置される仕切壁とを有し、
前記第二蓋体は、前記仕切壁に向けて突出した第二突出片を有し、
前記接合部は、前記第二突出片と前記仕切壁との接合部である第二接合部を有する
請求項３に記載の蓄電装置。
【請求項５】
前記第一蓋体は、前記蓄電素子に電気的に接続される配線を保持する配線保持部を有し、
前記壁部は、前記第一開口部と前記配線保持部との間に配置される第二壁部を有する
請求項１〜４のいずれか１項に記載の蓄電装置。
【請求項６】
前記第一蓋体は、前記外部端子の配置面から突出し、前記第一蓋体の最外周よりも内側に位置する凸部を有し、
前記第一開口部は、前記凸部に設けられ、
前記壁部は、前記第一開口部と前記配置面との間に配置される第三壁部を有する
請求項１〜５のいずれか１項に記載の蓄電装置。
【発明の詳細な説明】
【技術分野】
【０００１】
本発明は、蓄電素子と外装体とを備える蓄電装置に関する。
【背景技術】
【０００２】
従来、蓄電素子と外装体とを備えた蓄電装置において、外装体が筐体と第一蓋体とで構成され、当該第一蓋体にさらに第二蓋体が設けられたものが知られている。例えば、特許文献１には、バッテリケース（外装体）が鉛電池ケース（筐体）と鉛電池蓋（第一蓋体）とで構成され、当該鉛電池蓋にさらに絶縁カバー（第二蓋体）が設けられたバッテリ（蓄電装置）が開示されている。
【先行技術文献】
【特許文献】
【０００３】
【特許文献１】特開２０１５−１１８４９号公報
【発明の概要】
【発明が解決しようとする課題】
【０００４】
しかしながら、上記従来の蓄電装置では、外装体の第一蓋体に第二蓋体を接合する際に、第一蓋体に配置された他の部位に影響を及ぼすおそれがあるという問題がある。つまり、上記従来の蓄電装置では、第一蓋体に第二蓋体を接合する際に、接合のための接着剤や熱溶着の溶融成分等の接合成分が外部に漏れ出すおそれがある。そして、当該漏れ出した接合成分が第一蓋体に配置された部位に付着すれば、当該部位が変形したりするなどの不具合が生じるおそれがある。例えば、特許文献１では、第一蓋体（鉛電池蓋）に、外部端子（第１の出力端子及び第２の出力端子）、電極窓、点検開口等が配置されているため、これらの部位に当該接合成分が付着すれば、当該部位が変形したりするなどの不具合が生じるおそれがある。
【０００５】
本発明は、上記課題に鑑みてなされたものであり、外装体の第一蓋体に第二蓋体を接合する際に、第一蓋体に配置された他の部位に影響を及ぼすことを抑制することができる蓄電装置を提供することを目的とする。
【課題を解決するための手段】
【０００６】
上記目的を達成するために、本発明の一態様に係る蓄電装置は、蓄電素子と、前記蓄電素子が収容される筐体及び第一蓋体を有する外装体と、を備え、前記第一蓋体は、前記蓄電素子と電気的に接続される外部端子と、前記外部端子から前記蓄電素子に至る接続部材に対向する第一開口部と、前記第一開口部を塞ぐ第二蓋体と、前記第一蓋体の前記第二蓋体との接合部よりも外側に立設した壁部と、を有する。
【０００７】
これによれば、蓄電装置において、外装体の第一蓋体は、外部端子と、外部端子から蓄電素子に至る接続部材に対向する第一開口部と、第一開口部を塞ぐ第二蓋体と、第一蓋体における第二蓋体との接合部よりも外側に立設した壁部とを有している。これにより、第一蓋体に第二蓋体を接合する際に、接合部から接合成分（接着剤または熱溶着における溶融成分など）が漏れ出しても、接合部よりも外側に立設した壁部が、壁部の外側に接合成分が漏れ出すのを抑制することができる。このため、当該接合成分が、第一蓋体に配置された外部端子等の部位に影響を及ぼすことを抑制することができる。
【０００８】
また、前記第一蓋体は、前記第一開口部と前記壁部との間に溝部を有し、前記第二蓋体は、前記溝部に挿入される第一突出片を有し、前記接合部は、前記第一突出片と前記溝部との接合部である第一接合部を有することにしてもよい。
【０００９】
これによれば、蓄電装置の外装体において、第一蓋体は、第二蓋体の第一突出片が挿入される溝部を有しており、第一突出片と当該溝部とが接合されて第一接合部が形成されている。これにより、当該溝部に接合成分が溜まって、第一接合部から当該接合成分が漏れ出すのを抑制することができるため、当該接合成分が、第一蓋体に配置された外部端子等の部位に影響を及ぼすことを抑制することができる。
【００１０】
また、前記第一蓋体は、外方に向けて延設された排気部を有し、前記壁部は、前記第一開口部と前記排気部との間に配置される第一壁部を有することにしてもよい。
【００１１】
これによれば、第一蓋体の上記壁部は、第一開口部と排気部との間に第一壁部を有している。つまり、第一蓋体に第二蓋体を接合する際に、接合部から接合成分が漏れ出しても、接合部よりも外側に立設した第一壁部が、排気部側に接合成分が漏れ出すのを抑制することができる。ここで、排気部側に接合成分が漏れ出すと、例えば、当該接合成分によって、排気部が変形してしまったり、変形した排気部または接合成分が排気経路を封鎖してしまったりするなどの不具合が生じるおそれがある。このため、排気部側に接合成分が漏れ出すのを抑制することで、このような排気部に影響を及ぼすことを抑制することができる。
【００１２】
また、前記第一蓋体は、前記蓄電素子から前記排気部に至る排気経路の一部に対向する第二開口部と、前記第一開口部及び前記第二開口部の間に配置される仕切壁とを有し、前記第二蓋体は、前記仕切壁に向けて突出した第二突出片を有し、前記接合部は、前記第二突出片と前記仕切壁との接合部である第二接合部を有することにしてもよい。
【００１３】
これによれば、第一蓋体は、蓄電素子から排気部に至る排気経路の一部に対向する第二開口部と第一開口部との間に仕切壁を有し、第二蓋体の第二突出片と仕切壁とが接合されて第二接合部が形成されている。つまり、第二突出片と仕切壁とを接合することで、第二開口部と第一開口部とを隔て、外部端子から蓄電素子に至る接続部材と、蓄電素子から排気部に至る排気経路とを仕切ることができる。これにより、排気経路からの排気の熱が接続部材に影響を及ぼすのを抑制することができる。
【００１４】
また、前記第一蓋体は、前記蓄電素子に電気的に接続される配線を保持する配線保持部を有し、前記壁部は、前記第一開口部と前記配線保持部との間に配置される第二壁部を有することにしてもよい。
【００１５】
これによれば、第一蓋体の上記壁部は、第一開口部と配線保持部との間に第二壁部を有している。つまり、第一蓋体に第二蓋体を接合する際に、接合部から接合成分が漏れ出しても、接合部よりも外側に立設した第二壁部が、配線保持部側に接合成分が漏れ出すのを抑制することができる。ここで、配線保持部側に接合成分が漏れ出すと、例えば、当該接合成分によって、配線保持部が変形してしまったり、配線保持部の周囲を封止する部材が変形したり当該部材に接合成分が付着したりして気密封止できなくなってしまうおそれがある。気密封止できないと、配線保持部が配置される領域に水分が浸入するなどの不具合が生じる。このため、配線保持部側に接合成分が漏れ出すのを抑制することで、このような配線保持部に影響を及ぼすことを抑制することができる。
【００１６】
また、前記第一蓋体は、前記外部端子の配置面から突出し、前記第一蓋体の最外周よりも内側に位置する凸部を有し、前記第一開口部は、前記凸部に設けられ、前記壁部は、前記第一開口部と前記配置面との間に配置される第三壁部を有することにしてもよい。
【００１７】
これによれば、第一蓋体において、第一開口部は、外部端子の配置面から突出した凸部に設けられており、上記壁部は、第一開口部と当該配置面との間に第三壁部を有している。つまり、第一蓋体に第二蓋体を接合する際に、接合部から接合成分が漏れ出しても、接合部よりも外側に立設した第三壁部が、外部端子側に接合成分が漏れ出すのを抑制することができる。ここで、外部端子側に接合成分が漏れ出すと、例えば、当該接合成分によって、外部端子と外部の導電部材との接続が妨げられるなどの不具合が生じるおそれがある。このため、外部端子側に接合成分が漏れ出すのを抑制することで、このような外部端子に影響を及ぼすことを抑制することができる。
【００１８】
なお、本発明は、蓄電装置として実現することができるだけでなく、当該蓄電装置が備える外装体（第一蓋体）としても実現することができる。
【発明の効果】
【００１９】
本発明における蓄電装置によれば、外装体の第一蓋体に第二蓋体を接合する際に、第一蓋体に配置された他の部位に影響を及ぼすことを抑制することができる。
【図面の簡単な説明】
【００２０】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電装置の第一蓋体から第二蓋体を取り外した状態での構成を示す斜視図である。
【図４】実施の形態に係る蓄電装置の第一蓋体から第二蓋体を取り外した状態での構成を示す平面図である。
【図５】実施の形態に係る第二蓋体の構成を示す斜視図である。
【図６】実施の形態に係る第一蓋体を排気部の位置で切断した場合の断面図である。
【発明を実施するための形態】
【００２１】
以下、図面を参照しながら、本発明の実施の形態に係る蓄電装置について説明する。なお、以下で説明する実施の形態は、包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２２】
また、以下の説明及び図面中において、蓄電素子の並び方向、蓄電素子の容器の長側面の対向方向、または、当該容器の厚さ方向をＸ軸方向と定義する。また、１つの蓄電素子における電極端子の並び方向、または、蓄電素子の容器の短側面の対向方向をＹ軸方向と定義する。また、蓄電装置の外装体本体（筐体）と蓋体との並び方向、蓄電素子の容器本体と蓋との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２３】
（実施の形態）
まず、図１及び図２を用いて、本実施の形態における蓄電装置１の全般的な説明を行う。図１は、本実施の形態に係る蓄電装置１の外観を示す斜視図である。図２は、本実施の形態に係る蓄電装置１を分解した場合の各構成要素を示す分解斜視図である。
【００２４】
蓄電装置１は、外部からの電気を充電し、また外部へ電気を放電することができる装置である。例えば、蓄電装置１は、電力貯蔵用途や電源用途などに使用される電池モジュールである。具体的には、蓄電装置１は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００２５】
図１及び図２に示すように、蓄電装置１は、第一蓋体１００及び筐体２００からなる外装体１０と、外装体１０内方に収容される複数の蓄電素子２０、複数のバスバー３０、６０、保持部材４０及び基板５０とを備えている。
【００２６】
外装体１０は、蓄電装置１の外装体を構成する矩形状（箱状）の容器（モジュールケース）である。つまり、外装体１０は、複数の蓄電素子２０、バスバー３０、６０、保持部材４０及び基板５０等の外方に配置され、これら蓄電素子２０等を所定の位置に配置し、衝撃などから保護する。
【００２７】
ここで、外装体１０は、外装体１０の蓋体を構成する第一蓋体１００と、外装体１０の本体を構成する筐体２００とを有している。第一蓋体１００は、筐体２００の開口を閉塞する扁平な矩形状の部材であり、外部端子１１０及び１２０を有している。外部端子１１０及び１２０は、蓄電素子２０と電気的に接続されており、蓄電装置１は、この外部端子１１０及び１２０を介して、外部からの電気を充電し、また外部へ電気を放電する。筐体２００は、開口が形成された有底矩形筒状のハウジングであり、蓄電素子２０等を収容する。
【００２８】
なお、外部端子１１０及び１２０は、例えば、アルミニウム、アルミニウム合金等の金属製の導電部材で形成されている。また、外装体１０のその他の部位は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１０は、これにより、蓄電素子２０等が外部の金属部材などに接触することを回避する。なお、第一蓋体１００と筐体２００とは、同じ材質の部材で形成されていてもよいし、異なる材質の部材で形成されていてもかまわない。
【００２９】
蓄電素子２０は、電気を充電し、また、電気を放電することのできる二次電池（単電池）であり、より具体的には、リチウムイオン二次電池などの非水電解質二次電池である。蓄電素子２０は、扁平な直方体形状（角型）の形状を有しており、本実施の形態では、１２個の蓄電素子２０がＸ軸方向に配列されている。なお、蓄電素子２０の形状や、配列される蓄電素子２０の個数は限定されない。また、蓄電素子２０は、非水電解質二次電池には限定されず、非水電解質二次電池以外の二次電池であってもよいし、キャパシタであってもよく、さらに、使用者が充電をしなくても蓄えられている電気を使用できる一次電池であってもよい。
【００３０】
ここで、蓄電素子２０は、金属製の容器２１を備え、容器２１の蓋部分には、金属製の電極端子（正極端子２２及び負極端子２３）と、ガス排出弁２４とが設けられている。ガス排出弁２４は、容器２１内方にガスが発生して圧力が上昇したときに、当該ガスを排出して圧力を開放する安全弁である。また、容器２１の内方には、電極体（蓄電要素または発電要素ともいう）及び集電体（正極集電体及び負極集電体）等が配置され、電解液（非水電解質）などが封入されているが、詳細な説明は省略する。
【００３１】
バスバー３０は、複数の蓄電素子２０上に配置され、複数の蓄電素子２０の電極端子同士を電気的に接続する矩形状の板状部材である。また、バスバー６０は、保持部材４０上に配置され、バスバー３０と外部端子１１０及び１２０とを電気的に接続する矩形状の板状部材である。バスバー３０、６０は、例えば、銅、銅合金、アルミニウム、アルミニウム合金等の金属製の導電部材で形成されている。
【００３２】
本実施の形態では、バスバー３０のうちのバスバー３１は、Ｘ軸方向プラス側に配置された３個の蓄電素子２０の正極端子２２に接続され、バスバー３２は、Ｘ軸方向マイナス側に配置された３個の蓄電素子２０の負極端子２３に接続される。また、バスバー３３は、蓄電素子２０を３個ずつ並列に接続して４セットの蓄電素子群を構成し、当該４セットの蓄電素子群を直列に接続する。また、バスバー６０のうちのバスバー６１は、一端がバスバー３１に接続され、他端が外部端子１１０に接続される。また、バスバー６２は、一端がバスバー３２に接続され、他端が外部端子１２０に接続される。つまり、バスバー６１、３１は、外部端子１１０から蓄電素子２０に至る接続部材の一部であり、バスバー６２、３２は、外部端子１２０から蓄電素子２０に至る接続部材の一部である。なお、バスバー６１は、導電経路の途中にヒューズやリレー等を有している。
【００３３】
保持部材４０は、基板５０及びバスバー６０や、その他配線類等（図示せず）を保持する部材である。基板５０は、保持部材４０上に載置されて、保持部材４０に固定される制御基板である。基板５０は、配線等によって複数の蓄電素子２０に接続され、当該複数の蓄電素子２０の状態を取得し、監視し、制御する。
【００３４】
ここで、第一蓋体１００の構成について、詳細に説明する。第一蓋体１００は、外部端子１１０及び１２０の他に、第二蓋体１３０及び１４０と、排気部１５０と、配線保持部１６０とを有している。
【００３５】
外部端子１１０及び１２０は、蓄電装置１の外部端子である。具体的には、外部端子１１０は、第一蓋体１００のＸ軸方向プラス側かつＹ軸方向マイナス側の角部に配置された、正極側の外部端子である。また、外部端子１２０は、第一蓋体１００のＸ軸方向マイナス側かつＹ軸方向マイナス側の角部に配置された、負極側の外部端子である。
【００３６】
第二蓋体１３０及び１４０は、第一蓋体１００に形成された開口を塞ぐ平板状の蓋部材である。具体的には、第二蓋体１３０は、第一蓋体１００のＸ軸方向プラス側のＹ軸方向中央部分に配置されており、外部端子１１０から蓄電素子２０に至る接続部材に対向する開口部（後述の第一開口部１５１）を塞ぐ。また、第二蓋体１４０は、第一蓋体１００のＸ軸方向マイナス側のＹ軸方向中央部分に配置されており、外部端子１２０から蓄電素子２０に至る接続部材に対向する開口部（後述の第一開口部１６１）を塞ぐ。
【００３７】
排気部１５０は、第一蓋体１００のＸ軸方向プラス側端部のＹ軸方向中央部分において、第一蓋体１００の外方（Ｘ軸方向プラス側）に向けて延設されて配置されている。具体的には、排気部１５０は、蓄電素子２０のガス排出弁２４から排出されるガスの排気経路に接続されており、当該ガスを蓄電装置１の外方へ排気する。なお、排気部１５０は、第一蓋体１００の他の部位と一体に形成されているが、当該他の部位とは別体で構成されていてもかまわない。
【００３８】
配線保持部１６０は、蓄電素子２０に電気的に接続される配線を保持し、かつ、外部の導電部材（外部配線等）と接続されるコネクタである。具体的には、蓄電素子２０は、配線等で基板５０と電気的に接続されており、配線保持部１６０は、基板５０に接続された配線を保持している。この構成により、配線保持部１６０が外部配線と基板５０とを電気的に接続することで、蓄電素子２０に関する各種情報を外部から取得したり、外部機器と通信を行ったりすることができる。なお、配線保持部１６０は、第一蓋体１００の他の部位とは別体で構成されているが、当該他の部位と一体に形成されていてもかまわない。
【００３９】
なお、第二蓋体１３０、１４０、排気部１５０、配線保持部１６０、及び、第一蓋体１００のその他の部位は、全てが同じ材質の部材で形成されていてもよいし、いずれかが異なる材質の部材で形成されていてもかまわない。
【００４０】
次に、第一蓋体１００の構成について、さらに詳細に説明する。図３は、本実施の形態に係る蓄電装置１の第一蓋体１００から第二蓋体１３０及び１４０を取り外した状態での構成を示す斜視図であり、図４は、図３の状態での構成を示す平面図である。
【００４１】
これらの図に示すように、第一蓋体１００は、外部端子１１０及び１２０それぞれの周囲に、外部端子１１０及び１２０の配置面１０１及び１０２を有している。つまり、配置面１０１は、外部端子１１０が配置された、第一蓋体１００のＸ軸方向プラス側かつＹ軸方向マイナス側の平面状の上面である。また、配置面１０２は、外部端子１２０が配置された、第一蓋体１００のＸ軸方向マイナス側かつＹ軸方向マイナス側の平面状の上面である。なお、配置面１０１及び配置面１０２は、同じ高さに配置されている。
【００４２】
また、第一蓋体１００は、外部端子１１０及び１２０の配置面１０１及び１０２から突出し、第一蓋体１００の最外周よりも内側に位置する凸部１０３を有している。つまり、凸部１０３は、第一蓋体１００のＹ軸方向マイナス側のＸ軸方向中央部分、Ｙ軸方向中央部分及びＹ軸方向プラス側からＺ軸方向プラス側（上方）に突出した突出状の部位である。そして、凸部１０３に、第一開口部１５１、１６１、第二開口部１５２、及び、第三開口部１６２が設けられている。
【００４３】
第一開口部１５１、１６１は、外部端子１１０、１２０に接続されたバスバー１１１、１２１とバスバー６１、６２とを外部から接続するための開口部であり、具体的には、第一蓋体１００を厚さ方向（Ｚ軸方向）に貫通する貫通孔である。つまり、第一開口部１５１は、第一蓋体１００のＸ軸方向プラス側のＹ軸方向中央部分に配置された四角形状の貫通孔であり、第一開口部１６１は、第一蓋体１００のＸ軸方向マイナス側のＹ軸方向中央部分に配置された略四角形状の貫通孔である。
【００４４】
具体的には、図４に示すように、第一蓋体１００には、インサート成形等により、外部端子１１０、１２０に接続されたバスバー１１１、１２１が配置されており、バスバー１１１、１２１の端部が、第一開口部１５１、１６１から露出して配置されている。そして、バスバー１１１、１２１の端部とバスバー６１、６２の端部とを、第一開口部１５１、１６１を介して外部から接続することで、外部端子１１０、１２０とバスバー６１、６２とを容易に接続することができる構成となっている。
【００４５】
このように、第一開口部１５１は、第二蓋体１３０を取り外した状態で、バスバー１１１の端部とバスバー６１の端部とを外方に露出させている。また、第一開口部１６１は、第二蓋体１４０を取り外した状態で、バスバー１２１の端部とバスバー６２の端部とを外方に露出させている。つまり、バスバー１１１、１２１は、外部端子１１０、１２０から蓄電素子２０に至る接続部材の一部である。そして、第一開口部１５１及び１６１は、外部端子１１０及び１２０から蓄電素子２０に至る接続部材（バスバー１１１、６１及びバスバー１２１、６２）に対向する開口部である。
【００４６】
第二開口部１５２は、蓄電素子２０から排気部１５０に至る排気経路の一部に対向する開口部であり、具体的には、第一蓋体１００の凸部１０３のＸ軸方向プラス側に形成された凹部である。つまり、第二開口部１５２は、第一開口部１５１のＸ軸方向プラス側かつＹ軸方向プラス側に配置された略Ｌ字形状の凹部であり、一部が、第一開口部１５１と排気部１５０との間に配置されている。なお、第二開口部１５２の底部には、蓄電素子２０から排出されたガスを通過させる貫通孔１５２ａが形成されており、第二開口部１５２と排気部１５０との間にも貫通孔（図６の貫通孔１５２ｂ）が形成されている。これにより、蓄電素子２０から排出されたガスは、第二開口部１５２内方を通過して排気部１５０から排出される。
【００４７】
第三開口部１６２は、配線保持部１６０が配置される開口部であり、具体的には、第一蓋体１００の凸部１０３のＸ軸方向マイナス側に形成された凹部である。つまり、第三開口部１６２は、第一開口部１６１のＹ軸方向プラス側に配置された略四角形状の凹部である。
【００４８】
このような構成において、第一開口部１５１及び第二開口部１５２を塞ぐように第二蓋体１３０が配置され、第一開口部１６１及び第三開口部１６２を塞ぐように第二蓋体１４０が配置される。
【００４９】
また、第一蓋体１００は、第一開口部１５１及び第二開口部１５２の周囲に、配置面１０１から立設した壁部１５３を有し、第一開口部１６１及び第三開口部１６２の周囲に、配置面１０２から立設した壁部１６３を有している。具体的には、壁部１５３は、第一壁部１５３ａと、第三壁部１５３ｂと、第四壁部１５３ｃとを有している。また、壁部１６３は、第二壁部１６３ａと、第三壁部１６３ｂとを有している。
【００５０】
第一壁部１５３ａは、Ｙ軸方向に延設されて、第一開口部１５１と排気部１５０との間に配置された板状の部位である。具体的には、第一壁部１５３ａは、第一開口部１５１と排気部１５０との間に、第二開口部１５２のＹ軸方向マイナス側の一部を介して、配置されている。第二壁部１６３ａは、Ｘ軸方向に延設されて、第一開口部１６１と配線保持部１６０との間に配置された板状の部位である。第三壁部１５３ｂ、１６３ｂは、Ｘ軸方向に延設されて、第一開口部１５１、１６１と配置面１０１、１０２との間に配置された板状の部位である。つまり、第三壁部１５３ｂ、１６３ｂは、凸部１０３と配置面１０１、１０２との境界に配置されている。言い換えれば、第三壁部１５３ｂ、１６３ｂは、第一開口部１５１、１６１と外部端子１１０、１２０との間に配置されている。第四壁部１５３ｃは、Ｘ軸方向に延設されて、第三壁部１５３ｂのＸ軸方向プラス側に突出した壁とで排気部１５０を挟む位置に配置された板状の部位である。つまり、第四壁部１５３ｃと、第一壁部１５３ａと、第三壁部１５３ｂの当該突出した壁とが、排気部１５０の三方を囲うように配置されている。
【００５１】
ここで、これら壁部１５３及び１６３及びその周囲の構成について、図５及び図６も用いて、以下に詳細に説明する。なお、以下では、第一壁部１５３ａ及びその周囲の構成を例示して、説明する。図５は、本実施の形態に係る第二蓋体１３０の構成を示す斜視図である。具体的には、同図は、図２における第二蓋体１３０を斜め下方から見た図である。また、図６は、本実施の形態に係る第一蓋体１００を排気部１５０の位置で切断した場合の断面図である。具体的には、同図は、蓄電装置１を、排気部１５０の位置において、ＸＺ平面に平行な面で切断した場合の構成を示す断面図であり、第二蓋体１３０も省略せずに図示している。
【００５２】
図５に示すように、第二蓋体１３０は、下側（Ｚ軸方向マイナス側）に突出した第一突出片１３１、第二突出片１３２及び第三突出片１３３を有している。第一突出片１３１は、第二開口部１５２を囲うように配置される突出片であり、第二突出片１３２は、第一開口部１５１と第二開口部１５２との間に配置される突出片であり、第三突出片１３３は、第一開口部１５１を囲うように配置される突出片である。つまり、第一突出片１３１と第二突出片１３２とが第二開口部１５２の周囲に配置されることで、第二開口部１５２が閉塞される。また、第二突出片１３２と第三突出片１３３とが第一開口部１５１の周囲に配置されることで、第一開口部１５１が閉塞される。なお、第二蓋体１４０についても同様に、第一開口部１６１及び第三開口部１６２を閉塞するための、下側に突出した突出片が形成されている。
【００５３】
そして、図６に示すように、第一蓋体１００において第二蓋体１３０が接合されて接合部１７０が形成される。つまり、接合部１７０は、第一蓋体１００の第二蓋体１３０と対向する部位と第二蓋体１３０とが接合されて形成された接合部である。ここで、接合部１７０は、第一接合部１７１と、第二接合部１７２と、第三接合部１７３とを有している。
【００５４】
第一接合部１７１は、第一突出片１３１と、第一蓋体１００に形成された溝部１５４との接合部である。つまり、第一突出片１３１は、溝部１５４に向けて突出し、溝部１５４に挿入される突出片である。また、溝部１５４は、第一開口部１５１と壁部１５３の第一壁部１５３ａとの間に配置され、第一突出片１３１が挿入される溝である。具体的には、溝部１５４は、第一開口部１５１と第一壁部１５３ａとの間に、第二開口部１５２のＹ軸方向マイナス側の一部を介して、配置されている。なお、当該挿入の形態はどのようなものであってもよいが、本実施の形態では、第一突出片１３１は、溝部１５４に挿入されて、溝部１５４と嵌合する構成となっている。
【００５５】
具体的には、第一突出片１３１の先端部及び溝部１５４の底部の少なくとも一方が熱せられて、溝部１５４に第一突出片１３１が挿入されることで、第一突出片１３１と溝部１５４とが熱溶着されて、第一接合部１７１が形成される。ここで、第一接合部１７１は、第一突出片１３１に沿って形成されるため、第一突出片１３１と同様に、第二開口部１５２を囲うように配置される。なお、第一突出片１３１と溝部１５４との間に接着剤が塗布されて、第一突出片１３１と溝部１５４とが接着されることで、第一接合部１７１が形成されることにしてもよい。
【００５６】
第二接合部１７２は、第二突出片１３２と、第一蓋体１００に形成された壁である仕切壁１５３ｄとの接合部である。つまり、第二突出片１３２は、仕切壁１５３ｄに向けて突出した突出片である。また、仕切壁１５３ｄは、第一開口部１５１及び第二開口部１５２の間に配置される板状の壁である。具体的には、仕切壁１５３ｄの上部には、第一開口部１５１と第一壁部１５３ａとの間に配置され、第二突出片１３２が挿入される溝である溝部１５５が形成されている。より具体的には、図６に示すように、仕切壁１５３ｄは、Ｚ軸方向プラス側において先端が２つの支持壁１５７ａ及び１５７ｂに分かれており、これらが、第一開口部１５１及び第二開口部１５２の間に配置される二重の壁となっている。支持壁１５７ａ及び１５７ｂは、先端が第二蓋体１３０の内面に当接し、第二蓋体１３０を下方から支持する壁である。この二重の壁である支持壁１５７ａ及び１５７ｂの間がＺ軸方向マイナス側に向かって窪んでいることで、溝部１５５が形成されている。なお、当該挿入の形態はどのようなものであってもよいが、本実施の形態では、第二突出片１３２は、溝部１５５に挿入されて、溝部１５５と嵌合する構成となっている。
【００５７】
そして、第二突出片１３２の先端部及び仕切壁１５３ｄの溝部１５５の底部の少なくとも一方が熱せられて、溝部１５５に第二突出片１３２が挿入されることで、第二突出片１３２と仕切壁１５３ｄとが熱溶着されて、第二接合部１７２が形成される。ここで、第二接合部１７２は、第二突出片１３２に沿って形成されるため、第二突出片１３２と同様に、第一開口部１５１と第二開口部１５２との間に配置される。なお、第二突出片１３２と仕切壁１５３ｄの溝部１５５との間に接着剤が塗布されて、第二突出片１３２と仕切壁１５３ｄとが接着されることで、第二接合部１７２が形成されることにしてもよい。
【００５８】
また、第三接合部１７３は、第一接合部１７１及び第二接合部１７２と同様に、第三突出片１３３と溝部１５６との接合部である。つまり、第三突出片１３３は、溝部１５６に向けて突出した突出片であり、溝部１５６に挿入（本実施の形態では嵌合）される。また、第一接合部１７１及び第二接合部１７２と同様に、第三突出片１３３と溝部１５６とが接合されて、第三接合部１７３が形成される。ここで、第三接合部１７３は、第三突出片１３３に沿って形成されるため、第三突出片１３３と同様に、第一開口部１５１を囲うように配置される。
【００５９】
なお、第一突出片１３１、第二突出片１３２及び第三突出片１３３は、いずれもＺ軸方向マイナス側に突出した片であって、熱溶着によって接合する場合は、そのＺ軸方向マイナス側に突出した高さを全て同じにすることが好ましい。この形態によって、熱溶着用の加熱治具であるヒートブロックに第二蓋体１３０を押し付けた場合に、第一突出片１３１、第二突出片１３２及び第三突出片１３３が同様に溶融するため、接合部における接合具合が同等になり、気密に封止する精度を同等にすることができる。また、同じ理由から、溝部１５４、１５５及び１５６のＺ軸方向マイナス側の深さも、同じにすることが好ましい。
【００６０】
また、図６に示すように、溝部１５４及び１５６よりも第二開口部１５２及び第一開口部１５１側には、第二蓋体１３０の内面に先端が当接する支持壁１５７ｃ及び１５７ｄが設けられている。また、溝部１５４よりも外側（第二蓋体１３０よりも外側、つまりＸ軸方向マイナス側）には、外壁部１５７ｅが配置されている。つまり、例えば第一接合部１７１においては、第一壁部１５３ａと支持壁１５７ｃとの間に溝部１５４が形成されている。また、第三接合部１７３においては、支持壁１５７ｄと外壁部１５７ｅとの間に溝部１５６が形成されている。
【００６１】
なお、支持壁１５７ａ〜１５７ｄは、第二蓋体１３０の内面をＺ軸方向に支持し、凸部１０３の表面と第二蓋体１３０の表面とのＺ軸方向の位置を同じにすることで、凸部１０３と第二蓋体１３０との表面を面一にすることができる。言い換えれば、支持壁１５７ａ〜１５７ｄは、第二蓋体１３０の厚み分だけ、凸部１０３の表面よりも低い位置に先端部を有している。
【００６２】
このように、壁部１５３は、第一蓋体１００の第二蓋体１３０との接合部１７０よりも外側に立設して配置されている。なお、外側とは、第一開口部１５１または第二開口部１５２の外方へ向く方向側、第二蓋体１３０の外方へ向く方向側、または、第一蓋体１００の外方へ向く方向側である。
【００６３】
つまり、第一壁部１５３ａは、第一接合部１７１よりも外側（Ｘ軸方向プラス側）に立設して配置されている。また、第三壁部１５３ｂは、第三接合部１７３よりも外側（Ｙ軸方向マイナス側）に立設して配置されている。また、第四壁部１５３ｃは、第一接合部１７１よりも外側（Ｙ軸方向マイナス側）に立設して配置されている。また、上述の外壁部１５７ｅについても、第三接合部１７３よりも外側（Ｘ軸方向マイナス側）に立設して配置されている。また、壁部１６３についても同様に、第二壁部１６３ａ及び第三壁部１６３ｂは、第一蓋体１００における第二蓋体１４０との接合部よりも外側に立設して配置されている。
【００６４】
以上のように、本発明の実施の形態に係る蓄電装置１によれば、外装体１０の第一蓋体１００は、外部端子１１０、１２０と、第一開口部１５１、１６１と、第一開口部１５１、１６１を塞ぐ第二蓋体１３０、１４０と、第一蓋体１００における第二蓋体１３０、１４０との接合部よりも外側に立設した壁部１５３、１６３とを有している。これにより、第一蓋体１００に第二蓋体１３０、１４０を接合する際に、接合部から接合成分（接着剤または熱溶着における溶融成分など）が漏れ出しても、接合部よりも外側に立設した壁部１５３、１６３が、壁部１５３、１６３の外側に接合成分が漏れ出すのを抑制することができる。このため、当該接合成分が、第一蓋体１００に配置された外部端子１１０、１２０等の部位に影響を及ぼすことを抑制することができる。
【００６５】
また、第一蓋体１００は、第二蓋体１３０の第一突出片１３１が挿入される溝部１５４を有しており、第一突出片１３１と溝部１５４とが接合されて第一接合部１７１が形成されている。これにより、溝部１５４に接合成分が溜まって、第一接合部１７１から当該接合成分が漏れ出すのを抑制することができる。このため、当該接合成分が、第一蓋体１００に配置された外部端子１１０等の部位に影響を及ぼすことを抑制することができる。第二蓋体１４０側についても、同様である。
【００６６】
なお、接合部において、上記とは逆に、第一蓋体１００に突出片が形成され、第二蓋体１３０に、当該突出片が挿入される溝部が形成されたような構成では、接合する際に接合成分が当該突出片から流れ落ちて、接合部から当該接合成分が漏れ出してしまうおそれがある。そして、この場合、漏れ出した接合成分が他の部位に影響を与えるのみならず、接合部における接合強度が低下するという問題も生じる。これらのことから、第一蓋体１００に、第二蓋体１３０の第一突出片１３１が挿入される溝部１５４が形成された上記構成が好ましい。
【００６７】
また、第一蓋体１００の壁部１５３は、第一開口部１５１と排気部１５０との間に第一壁部１５３ａを有している。つまり、第一蓋体１００に第二蓋体１３０を接合する際に、接合部１７０から接合成分が漏れ出しても、接合部１７０よりも外側に立設した第一壁部１５３ａが、排気部１５０側に接合成分が漏れ出すのを抑制することができる。ここで、排気部１５０側に接合成分が漏れ出すと、例えば、当該接合成分（熱溶着における溶融成分）が有する熱によって、排気部１５０が溶けて変形してしまったり、変形した排気部１５０または接合成分（溶融成分や接着剤等）が排気経路を封鎖してしまったりするなどの不具合が生じるおそれがある。このため、排気部１５０側に接合成分が漏れ出すのを抑制することで、このような排気部１５０に影響を及ぼすことを抑制することができる。
【００６８】
また、第一蓋体１００は、蓄電素子２０から排気部１５０に至る排気経路の一部に対向する第二開口部１５２と第一開口部１５１との間に仕切壁１５３ｄを有し、第二蓋体１３０の第二突出片１３２と仕切壁１５３ｄとが接合されて第二接合部１７２が形成されている。つまり、第二突出片１３２と仕切壁１５３ｄとを接合することで、第二開口部１５２と第一開口部１５１とを隔て、外部端子１１０から蓄電素子２０に至る接続部材と、蓄電素子２０から排気部１５０に至る排気経路とを仕切ることができる。これにより、排気経路からの排気の熱が当該接続部材に影響を及ぼすのを抑制することができる。
【００６９】
また、第一蓋体１００の壁部１６３は、第一開口部１６１と配線保持部１６０との間に第二壁部１６３ａを有している。つまり、第一蓋体１００に第二蓋体１４０を接合する際に、接合部から接合成分が漏れ出しても、接合部よりも外側に立設した第二壁部１６３ａが、配線保持部１６０側に接合成分が漏れ出すのを抑制することができる。ここで、配線保持部１６０側に接合成分が漏れ出すと、例えば、当該接合成分（熱溶着における溶融成分）が有する熱によって、配線保持部１６０が溶けて変形してしまったり、配線保持部１６０の周囲を封止する第二蓋体１４０が溶けて変形したり第二蓋体１４０に接合成分（溶融成分や接着剤等）が付着したりして気密封止できなくなってしまうおそれがある。気密封止できないと、配線保持部１６０が配置される領域に水分が浸入するなどの不具合が生じる。このため、配線保持部１６０側に接合成分が漏れ出すのを抑制することで、このような配線保持部１６０に影響を及ぼすことを抑制することができる。
【００７０】
また、第一蓋体１００において、第一開口部１５１、１６１は、外部端子１１０、１２０の配置面１０１、１０２から突出した凸部１０３に設けられており、第一開口部１５１、１６１と配置面１０１、１０２との間に、第三壁部１５３ｂ、１６３ｂが配置されている。つまり、第一蓋体１００に第二蓋体１３０、１４０を接合する際に、接合部から接合成分が漏れ出しても、接合部よりも外側に立設した第三壁部１５３ｂ、１６３ｂが、外部端子１１０、１２０側に接合成分が漏れ出すのを抑制することができる。ここで、外部端子１１０、１２０側に接合成分が漏れ出すと、例えば、当該接合成分によって、外部端子１１０、１２０と外部の導電部材との接続が妨げられるなどの不具合が生じるおそれがある。このため、外部端子１１０、１２０側に接合成分が漏れ出すのを抑制することで、このような外部端子１１０、１２０に影響を及ぼすことを抑制することができる。このように、外部端子１１０、１２０への影響を抑制することは、短絡のリスクを回避するためにも重要である。
【００７１】
また、蓄電装置１を車両に搭載する場合には、外部端子１１０、１２０、排気部１５０及び配線保持部１６０は、車両側と接続される機能を満たす必要があり、接合成分が漏れ出さないことは、当該機能を満たす上で重要である。また、第一蓋体１００の内側に接合部が設けられ、かつ接合成分が漏れ出さないことで、接合痕を目立たせないようにすることができる。さらに、第一蓋体１００の内側に接合部が設けられるため、外部の部材が接合部に接触するのを抑制し、耐衝撃性を向上させることができる。
【００７２】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなく特許請求の範囲によって示され、特許請求の範囲と均等の意味及び範囲内での全ての変更が含まれることが意図される。
【００７３】
例えば、上記実施の形態では、第一蓋体１００は、第二蓋体１３０及び第二蓋体１４０を有することとした。しかし、第一蓋体１００は、第二蓋体１３０及び第二蓋体１４０のいずれか一方しか有していない構成でもよい。
【００７４】
また、上記実施の形態では、第一蓋体１００には、第一開口部１５１及び第一開口部１６１が形成されていることとした。しかし、第一蓋体１００には、第一開口部１５１及び第一開口部１６１のいずれか一方しか形成されていない構成でもよい。また、第一蓋体１００には、第二開口部１５２及び第三開口部１６２のいずれか一方または双方が形成されていない構成でもよい。
【００７５】
また、上記実施の形態では、第二蓋体１３０の第一突出片１３１が第一蓋体１００の溝部１５４に挿入されて、両者が接合されることで第一接合部１７１が形成されることとした。しかし、第一蓋体１００は溝部１５４を有することなく、または、第二蓋体１３０は第一突出片１３１を有することなく、当該接合が行われて第一接合部１７１が形成されることにしてもよい。
【００７６】
また、上記実施の形態では、第一蓋体１００は、排気部１５０を有し、第一開口部１５１と排気部１５０との間に第一壁部１５３ａが配置されることとした。しかし、第一開口部１５１と排気部１５０との間に第一壁部１５３ａが配置されなくてもよいし、第一蓋体１００は、排気部１５０を有していない構成でもよい。
【００７７】
また、上記実施の形態では、第二蓋体１３０の第二突出片１３２が第一蓋体１００の仕切壁１５３ｄと接合されて、第二接合部１７２が形成されることとした。しかし、第一蓋体１００は仕切壁１５３ｄを有することなく、または、第二蓋体１３０は第二突出片１３２を有することなく、当該接合が行われて第二接合部１７２が形成されることにしてもよい。
【００７８】
また、上記実施の形態では、第一蓋体１００は、配線保持部１６０を有し、第一開口部１６１と配線保持部１６０との間に第二壁部１６３ａが配置されることとした。しかし、第一開口部１６１と配線保持部１６０との間に第二壁部１６３ａが配置されなくてもよいし、第一蓋体１００は、配線保持部１６０を有していない構成でもよい。
【００７９】
また、上記実施の形態では、第一蓋体１００は、凸部１０３を有し、凸部１０３に形成された第一開口部１５１、１６１と、配置面１０１、１０２との間に、第三壁部１５３ｂ、１６３ｂが配置されることとした。しかし、第一開口部１５１、１６１と配置面１０１、１０２との間に第三壁部１５３ｂ、１６３ｂが配置されなくてもよいし、第一蓋体１００は、凸部１０３を有することなく第一開口部１５１、１６１が形成されている構成でもよい。
【００８０】
また、上記実施の形態及びその変形例に含まれる構成要素を任意に組み合わせて構築される形態も、本発明の範囲内に含まれる。
【産業上の利用可能性】
【００８１】
本発明は、リチウムイオン二次電池などの蓄電素子を備えた蓄電装置に適用できる。
【符号の説明】
【００８２】
１  蓄電装置
１０  外装体
２０  蓄電素子
３０、３１、３２、３３、６０、６１、６２、１１１、１２１  バスバー
１００  第一蓋体
１０１、１０２  配置面
１０３  凸部
１１０、１２０  外部端子
１３０、１４０  第二蓋体
１３１  第一突出片
１３２  第二突出片
１５０  排気部
１５１、１６１  第一開口部
１５２  第二開口部
１５３、１６３  壁部
１５３ａ  第一壁部
１５３ｂ、１６３ｂ  第三壁部
１５３ｄ  仕切壁
１５４、１５５、１５６  溝部
１６０  配線保持部
１６３ａ  第二壁部
１７０  接合部
１７１  第一接合部
１７２  第二接合部
２００  筐体
【図１】
2018129129.tif 000003
【図２】
2018129129.tif 000004
【図３】
2018129129.tif 000005
【図４】
2018129129.tif 000006
【図５】
2018129129.tif 000007
【図６】
2018129129.tif 000008